(57)【要約】      （修正有）【課題】構成安定性、高輝度を有しながら、ハンドル部位には人間工学設計を採用し、且つ室外で使用することができる直管形ＬＥＤランプを提供する。【解決手段】前ハウジング３及び後ハウジング１１を含むハウジングと、後ハウジングに設置され、後ハウジングの裏上部に配置される磁石９と、後ハウジングに設置され、後ハウジングの裏下部かつ磁石と対称する位置に配置される磁石シート１０と、後ハウジングの内側上部に配置されるＬＥＤ光源２と、ＬＥＤ光源の上方に設置され、かつ前ハウジング及び後ハウジングの間に設置されるレンズ１と、前ハウジング及び後ハウジングの底部の間に設置するカバー８と、を含み、ＬＥＤ光源の下方には、放熱板４、リチウムポリマー電池６、バッテリーインジケータ１２が後ハウジングの内側に順次配置され、リチウムポリマー電池の一方には、互いに電気的に接続される正面ＬＥＤ５、制御板７が配置され、制御板、バッテリーインジケータ及び前記ＬＥＤ光源が互いに電気的に接続される。【選択図】図２
0003208470.tif 000002
【実用新案登録請求の範囲】
【請求項１】
前ハウジング及び後ハウジングを含むハウジングと、
前記後ハウジングに設置され、前記後ハウジングの裏上部に配置される磁石と、
前記後ハウジングに設置され、前記後ハウジングの裏下部かつ前記磁石と対称の位置に配置される磁石シートと、
前記後ハウジングの内側上部に配置されるＬＥＤ光源と、
前記ＬＥＤ光源の上方に設置され、かつ前記前ハウジング及び前記後ハウジングの間に設置されるレンズと、
前記前ハウジング及び前記後ハウジングの底部の間に設置するカバーと、を含み、
前記ＬＥＤ光源の下方には、放熱板、リチウムポリマー電池、バッテリーインジケータ、が前記後ハウジングの内側に順次配置され、
前記リチウムポリマー電池の一方には、互いに電気的に接続される正面ＬＥＤ、制御板が配置され、
前記制御板、前記バッテリーインジケータ及び前記ＬＥＤ光源が互いに電気的に接続されることを特徴とする直管形ＬＥＤランプ。
【請求項２】
前記ハウジングの材質が、防水機能を有する透明ＰＣまたはＴＰＥを採用することを特徴とする請求項１に記載の直管形ＬＥＤランプ。
【請求項３】
前記レンズが内反射集光レンズであることを特徴とする請求項１に記載の直管形ＬＥＤランプ。
【請求項４】
前記ハウジングの右下角に三角形の貫通孔が設置されることを特徴とする請求項１に記載の直管形ＬＥＤランプ。
【請求項５】
前記制御板が多段式制御板であることを特徴とする請求項１に記載の直管形ＬＥＤランプ。
【請求項６】
前記ハウジングの厚さが１２ｍｍであることを特徴とする請求項１に記載の直管形ＬＥＤランプ。
【考案の詳細な説明】
【技術分野】
【０００１】
本考案は直管形ＬＥＤランプに関するものであって、特に自動車修理業、工具照明ランプに使用する直管形ＬＥＤランプに関するものである。
【背景技術】
【０００２】
ＬＥＤランプは電灯であって、エポキシ樹脂組成物にパッケージされた半導体チップに電子が通過する際に、負に帯電した電子がチップに正に帯電した孔に複合すると同時に光子を産生させる。従来の自動車修理業用の白熱灯や蛍光灯が壊れやすく、且つ防水レベルも低いため、室外で使用することが出来ない。
【考案の概要】
【考案が解決しようとする課題】
【０００３】
そこで、本考案は、上記従来の技術の問題点を鑑みてなされ、新ハンドヘルド型ＬＥＤランプを提供することを目的とする。ＬＥＤランプが構成安定性、高輝度を有しながら、ハンドル部位には人間工学設計を採用し、外観にも優れ、安全性が高く、且つ使用しやすく、防水レベルがＩＰ５４に達するため、室外で使用することができる。
【課題を解決するための手段】
【０００４】
上記目的を達成するために、本考案が提供する直管形ＬＥＤランプは、
前ハウジング及び後ハウジングを含むハウジングと、
前記後ハウジングに設置され、前記後ハウジングの裏上部に配置される磁石と、
前記後ハウジングに設置され、前記後ハウジングの裏下部かつ前記磁石と対称の位置に配置される磁石シートと、
前記後ハウジングの内側上部に配置されるＬＥＤ光源と、
前記ＬＥＤ光源の上方に設置され、かつ前記前ハウジング及び前記後ハウジングの間に設置されるレンズと、
前記前ハウジング及び前記後ハウジングの底部の間に設置するカバーと、を含み、
前記ＬＥＤ光源の下方には、放熱板、リチウムポリマー電池、バッテリーインジケータ、が前記後ハウジングの内側に順次配置され、
前記リチウムポリマー電池の一方には、互いに電気的に接続される正面ＬＥＤ、制御板が配置され、
前記制御板、前記バッテリーインジケータ及び前記ＬＥＤ光源が互いに電気的に接続されることを特徴とする直管形ＬＥＤランプである。
このように、製品背部の磁石設計により鉄面に製品が固定することができ、大容量のリチウムポリマー電池により使用時間を大幅に延長することができ、バッテリーインジケータがＬＣＤモニターを採用しているため、より直感的な表示をユーザーに提供することができ、放熱板をＬＥＤ光源の上方に設置することによりＬＥＤ光源の使用時間を延長することができ、カバーが耐亀裂ゴムを使用しているため、カバーの防塵性、防水性、耐候性を高めることができ、正面ＬＥＤ（ＣＯＢ（チップオンボード））が製品の正面光源であって、集光設計によりさらなる光照範囲を持たせることができる。
【０００５】
本考案の一態様として、前記ハウジングの材質が、防水機能を有する透明ＰＣまたはＴＰＥを採用してもよい。これにより、製品の防水レベルがＩＰ５４に達成することができるため使用環境を広げることができる。
【０００６】
本考案の一態様として、前記レンズが内反射集光レンズであってもよい。これにより、前記レンズが内反射集光レンズであるため、上部ＬＥＤ光源の発光角度が半形２１°になる。
【０００７】
本考案の一態様として、前記ハウジングの右下角に三角形の貫通孔が設置されてもよい。これにより、ハウジングの右下角の三角形の貫通孔にスリング（Sling）を設置することができるため、持ち運びがしやすくなる。
【０００８】
本考案の一態様として、前記制御板が多段式制御板であってもよい。これにより、制御板が多段式制御板であるため光量が調節することができ、製品に大量の使用時間を持たせることができる。
【０００９】
本考案の一態様として、前記ハウジングの厚さが１２ｍｍであってもよい。製品の厚さが１２ｍｍであり、合計四種類の寸法を含み、一番長いのは３５５ｍｍである。信頼性を確保するため、一番長い後ハウジングには金属枠組みを使用している。
【考案の効果】
【００１０】
以上のように、本考案の直管形ＬＥＤランプによれば、構成安定性、高輝度を有しながら、ハンドル部位には人間工学設計を採用し、外観にも優れ、安全性が高く、且つ使用しやすく、防水レベルがＩＰ５４に達しているため、室外で使用することができる。
【００１１】
以下の実施形態及び添付図面により、本考案で採用された具体実施形態を具体的に説明する。当技術分野に精通した者は本実施形態を精読することで本考案を実現することができる。
【図面の簡単な説明】
【００１２】
【図１】本考案の直管形ＬＥＤランプを示す図である。
【図２】本考案の直管形ＬＥＤランプを示す断面図である。
【考案を実施するための形態】
【００１３】
以下図式に基づいて、本考案の実施形態について説明する。該当説明は本考案の実施形態の一つの例示にすぎず、本考案の実施形態を限定するものではない。
【００１４】
図１及び図２が示すように、本考案の実施形態に係る直管形ＬＥＤランプは、前ハウジング３及び後ハウジング１１を含むハウジングと、前記後ハウジング１１に設置され、前記後ハウジング１１の裏上部に配置される磁石９と、前記後ハウジング１１に設置され、前記後ハウジング１１の裏下部かつ前記磁石９と対称の位置に配置される磁石シート１０と、前記後ハウジング１１の内側上部に配置されるＬＥＤ光源２と、前記ＬＥＤ光源２の上方に設置され、かつ前記前ハウジング３及び前記後ハウジング１１の間に設置されるレンズ１と、前記前ハウジング３及び前記後ハウジング１１の底部の間に設置するカバー８とを含む。前記ＬＥＤ光源２の下方には、放熱板４、リチウムポリマー電池６、バッテリーインジケータ１２が前記後ハウジング１１の内側に順次配置されている。前記リチウムポリマー電池６の一方には、互いに電気的に接続される正面ＬＥＤ５と制御板７が配置されている。前記制御板７、前記バッテリーインジケータ１２及び前記ＬＥＤ光源２が互いに電気的に接続されている。
【００１５】
以下はこの直管形ＬＥＤランプの実装原理を説明する。ハウジングの材質が防水機能を有する透明ＰＣまたはＴＰＥを採用しているため、直管形ＬＥＤランプの防水レベルがＩＰ５４に達成することができ、且つ使用環境も広げることができる。レンズが内反射集光レンズであるため、上部ＬＥＤ光源の発光角度が半形２１°になる。ハウジングの厚さが１２ｍｍであり、合計四種類の寸法を含み、一番長いのは３５５ｍｍである。信頼性を確保するため、一番長い後ハウジングには金属枠組みを使用している。製品背部の磁石設計により鉄面に製品が固定することができる。ハウジングの右下角の三角形の貫通孔にスリング（Sling）を設置することができるため、持ち運びがしやすくなる。大容量のリチウムポリマー電池により使用時間を大幅に延長することができる。制御板が多段式制御板であるため光量が調節することができ、製品に大量の使用時間を持たせることができる。バッテリーインジケータがＬＣＤモニターを採用しているため、より直感的な表示をユーザーに提供することができる。放熱板をＬＥＤ光源の上方に設置することによりＬＥＤ光源の使用時間を延長することができる。正面ＬＥＤが製品の正面光源であって、集光設計によりさらなる光照範囲を持たせることができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の調節や修正を加えることができる。従って、本考案の実用新案登録請求の範囲は、このような調節や修正を含めて広く解釈されるべきである。
【符号の説明】
【００１７】
１００  直管形ＬＥＤランプ
１  レンズ
２  ＬＥＤ光源
３  前ハウジング
４  放熱板
５  正面ＬＥＤ
６  リチウムポリマー電池
７  制御板
８  カバー
９  磁石
１０  磁石シート
１１  後ハウジング
１２  バッテリーインジケータ
１３  三角形の貫通孔
【図１】
0003208470.tif 000003
【図２】
0003208470.tif 000004